(57)【要約】【課題】  温水循環パイプの接続端部を床下地材の下方へと引き出し易くて施工が簡単となる床暖房パネル及び床暖房装置を提供する。【解決手段】  床パネル基材１に可撓性を有する温水循環パイプ２を埋設配管し、この温水循環パイプ２の接続端部３を同床パネル基材１の下面４から導出させてなる床暖房パネルＰであって、前記温水循環パイプ２の接続端部３の導出部位近傍において、床パネル基材１の下面４に下側へ開口したパイプ収容溝５を形成し、このパイプ収容溝５の溝長手方向の適所から温水循環パイプ２の接続端部３を導出させたものである。そして、前記床暖房パネルＰを床下地材上に敷設してなる床暖房装置とする。【選択図】図１
2006242507.tif 000002
【特許請求の範囲】
【請求項１】
床パネル基材に可撓性を有する温水循環パイプを埋設配管し、この温水循環パイプの接続端部を同床パネル基材の下面から導出させてなる床暖房パネルであって、前記温水循環パイプの接続端部の導出部位近傍において、床パネル基材の下面に下側へ開口したパイプ収容溝を形成し、このパイプ収容溝の溝長手方向の適所から温水循環パイプの接続端部を導出させたことを特徴とする床暖房パネル。
【請求項２】
温水循環パイプの接続端部として往路接続端部と復路接続端部とを備え、この往路接続端部と復路接続端部とを対にまとめて導出させるパイプ収容溝を形成したことを特徴とする請求項１記載の床暖房パネル。
【請求項３】
床パネル基材が平面視略長方形状であり、その短辺巾方向に対して傾斜した方向を溝長手方向としてパイプ収容溝を形成したことを特徴とする請求項１又は２記載の床暖房パネル。
【請求項４】
請求項１〜３のいずれか一つに記載の床暖房パネルを床下地材上に敷設してなる床暖房装置であって、前記パイプ収容溝の溝長手方向の適所に対応させて同床下地材にパイプ引出孔を穿設し、このパイプ引出孔を通して温水循環パイプの接続端部を下方へ導出させ引き出したことを特徴とする床暖房装置。
【発明の詳細な説明】
【技術分野】
【０００１】
本願発明は、床パネル基材に温水循環パイプを配管埋設し、この温水循環パイプの接続端部を同床パネル基材の下面から導出してなる床暖房パネル、及び、この床暖房パネルを床下地材上に敷設してなる床暖房装置に関するものである。
【背景技術】
【０００２】
従来から、図５に示す如く、床パネル基材１に温水循環パイプ２を埋設配管し、この温水循環パイプ２の接続端部３を同床パネル基材１の下面４から導出させてなる床暖房パネルＰが知られている。このものは、特開平８−１２８６５８号公報（特許文献１）に開示されたものであり、この場合、床暖房パネルＰを床下地材６上に敷設して床暖房装置となるもので、同床下地材６は根太１４にて構成されている。それ故、温水循環パイプ２の接続端部３が根太１４間のスペースから下方へと導出して引き出されており、隣接する床暖房パネルＰ間で両接続端部３はジョイント部材１８を介して接続されている。又、複数枚並べて敷設された床暖房パネルＰ上には、更に、床表面材としてカーペット１７が敷設されている。
【０００３】
ところで、上記従来例のような場合、図６に示す如く、隣接する床暖房パネルＰ同士は凸実８と凹実９とが嵌合されて相互に接続され、釘打ち等によって床下地材６上に固定される。又、温水循環パイプ２の接続端部３は、エルボ１９を介して床パネル基材１の下面４から導出される。そして、床下地材６として、根太１４上に下地板１５を設置し、根太１４間のスペースに断熱材１６を充填した構造が採用されることがあり、この場合、同床下地材６には、温水循環パイプ２の接続端部３を下方へ導出させ引き出すためのパイプ引出孔７が穿設される。
【特許文献１】特開平８−１２８６５８号公報
【発明の開示】
【発明が解決しようとする課題】
【０００４】
しかしながら、上記図６に示すような場合、温水循環パイプ２の接続端部３の導出位置がエルボ１9にて決まってしまうため、その位置に対応させて正確にパイプ引出孔７を床下地材６に穿設する必要があり、施工が困難になるという問題があった。又、温水循環パイプ２の接続端部３の導出位置が床下地材６の根太１４や大引（図示せず）等の位置と合致してしまった場合には、同温水循環パイプ２の接続端部３を下方へ引き出すことができなくなったり、根太１４や大引等を切欠除去しなければならなくなったり（この場合、床強度も低下する）するという問題が発生するものであった。
【０００５】
本願発明は、上記背景技術に鑑みて発明されたものであり、その課題は、温水循環パイプの接続端部を床下地材の下方へと引き出し易くて施工が簡単となる床暖房パネル及び床暖房装置を提供することである。
【課題を解決するための手段】
【０００６】
上記課題を解決するために、本願発明の床暖房パネルは、床パネル基材に可撓性を有する温水循環パイプを埋設配管し、この温水循環パイプの接続端部を同床パネル基材の下面から導出させてなる床暖房パネルであって、前記温水循環パイプの接続端部の導出部位近傍において、床パネル基材の下面に下側へ開口したパイプ収容溝を形成し、このパイプ収容溝の溝長手方向の適所から温水循環パイプの接続端部を導出させたものである。
【０００７】
又、本願発明の床暖房装置は、前記床暖房パネルを床下地材上に敷設してなる床暖房装置であって、前記パイプ収容溝の溝長手方向の適所に対応させて同床下地材にパイプ引出孔を穿設し、このパイプ引出孔を通して温水循環パイプの接続端部を下方へ導出させ引き出したものである。
【発明の効果】
【０００８】
本願発明の床暖房パネル及び床暖房装置では、温水循環パイプの接続端部の導出部位近傍において、床パネル基材の下面に下側へ開口したパイプ収容溝を形成したため、このパイプ収容溝の溝長手方向の適所から温水循環パイプの接続端部を導出させることができて、同パイプ収容溝の溝長手方向に沿った位置の直下なればどこででも温水循環パイプの接続端部を下方へと導出させることができ、床下地材の下方へと引き出し易くなって施工が簡単となる。
【発明を実施するための最良の形態】
【０００９】
図１〜３は、本願の請求項１、２、４に対応した一実施形態である床暖房パネルＰ及び床暖房装置を示している。この実施形態の床暖房パネルＰは、図１に示す如く、床パネル基材１に可撓性を有する温水循環パイプ２を埋設配管し、この温水循環パイプ２の接続端部３を同床パネル基材１の下面４から導出させてなる床暖房パネルＰであって、前記温水循環パイプ２の接続端部３の導出部位近傍において、床パネル基材１の下面４に下側へ開口したパイプ収容溝５を形成し、このパイプ収容溝５の溝長手方向の適所から温水循環パイプ２の接続端部３を導出させたものである。この場合、温水循環パイプ２の接続端部３として往路接続端部３ａと復路接続端部３ｂとを備え、この往路接続端部３ａと復路接続端部３ｂとを対にまとめて導出させるパイプ収容溝５を形成している。
【００１０】
又、この実施形態の床暖房装置は、図２に示す如く、前記床暖房パネルＰを床下地材６上に敷設してなる床暖房装置であって、前記パイプ収容溝５の溝長手方向の適所に対応させて同床下地材６にパイプ引出孔７を穿設し、このパイプ引出孔７を通して温水循環パイプ２の接続端部３を下方へ導出させ引き出したものである。
【００１１】
以下、この実施形態の床暖房パネルＰ及び床暖房装置を、より具体的詳細に説明する。この実施形態の床暖房パネルＰは、図１に示す如く、床パネル基材１が平面視略長方形状の帯板状に形成され、その周縁部分には凸実８及び凹実９が形成されている。床パネル基材１の内部には、温水循環パイプ２が長手方向に沿って折り返されながら埋設配管されており、同温水循環パイプ２は柔軟な合成樹脂で成形されて可撓性を有し、中間折り返し点の両側に往路部２ａと復路部２ｂとが存在する。この場合、図１で矢視する方向に、温水循環パイプ２の内部をその往路部２ａから復路部２ｂへと温水が流れて循環される。
【００１２】
床パネル基材１の長手方向での一方の端部付近には、その短辺端部に沿って巾方向のパイプ収容溝５が形成されており、このパイプ収容溝５は同床パネル基材１の長辺端部に至って開口されている。パイプ収容溝５は温水循環パイプ２の埋設部位に連続して延設されており、床パネル基材１の裏面４に断面略Ｕ字状に開口するように形成されている。このパイプ収容溝５からは、前記温水循環パイプ２の往路接続端部３ａと復路接続端部３ｂとが対にまとめて導出され、その際、両接続端部３は下方へ撓んで導出されている。
【００１３】
図３に示す如く、床暖房パネルＰの床パネル基材１は、合板１０の表面側に化粧板１１、裏面側に裏板１２を各々貼着して形成されている。この場合、図３（ａ）に示す如く、合板１０の裏側に凹溝１３が形成され、この凹溝１３に温水循環パイプ２（往路部２ａ、復路部２ｂ）が収容され、合板１０の裏側に裏板１２が貼着されて同凹溝１３が覆い塞がれることで、床パネル基材１に同温水循環パイプ２は埋設配管されている。なお、裏板１２は木質板であっても金属板であってもよいが、例えば、アルミニウム等の熱伝導率の高い金属板で形成される場合には、温水循環パイプ２の熱が床パネル基材１全体に広げられて均熱作用が増大する。
【００１４】
そして、図３（ｂ）に示す如く、温水循環パイプ２（往路部２ａ、復路部２ｂ）の接続端部３（往路接続端部３ａ、復路接続端部３ｂ）の導出部位近傍においては、床パネル基材１の下面４に下側へ開口したパイプ収容溝５が形成されている。このパイプ収容溝５は、前記温水循環パイプ２の往路部２ａを収容する凹溝１３と復路部２ｂを収容する凹溝１３とを接合連通させ一体化して形成されたものである。この場合、パイプ収容溝５を形成する部位において前記裏板１２を切欠除去することで、同パイプ収容溝５を下側へ開口するようにしており、このパイプ収容溝５は前記凹溝１３の略２倍の溝巾寸法を有している。
【００１５】
又、この実施形態の床暖房装置は、図２に示す如く、前記床暖房パネルＰを床下地材６上に敷設してなり、前記パイプ収容溝５の溝長手方向の適所に対応させて同床下地材６にパイプ引出孔７を穿設し、このパイプ引出孔７を通して温水循環パイプ２の接続端部３を下方へ導出させ引き出したものである。この場合、隣接する床暖房パネルＰ同士は凸実８と凹実９とが嵌合されて相互に接続され、釘打ち等によって床下地材６上に固定されている。そして、床下地材６として、根太１４上に下地板１５を設置し、根太１４間のスペースに断熱材１６を充填した構造が採用されており、同床下地材６には、温水循環パイプ２の接続端部３（往路接続端部３ａ、復路接続端部３ｂ）を床下地材６の下方へ導出させ引き出すためのパイプ引出孔７が穿設されている。
【００１６】
したがって、この実施形態の床暖房パネルＰ及び床暖房装置においては、温水循環パイプ２の接続端部３の導出部位近傍において、床パネル基材１の下面４に下側へ開口したパイプ収容溝５を形成しているため、このパイプ収容溝５の溝長手方向の適所から温水循環パイプ２の接続端部３を導出させることができ、同パイプ収容溝５の溝長手方向に沿った位置の直下なればどこででも温水循環パイプ２の接続端部３を下方へと導出させることができるので、床下地材６の下方へと引き出し易くなって施工が簡単となる。
【００１７】
この場合、パイプ収容溝５の溝長手方向に沿った位置の直下であれば、床下地材６のどの位置にでもパイプ引出孔７を穿設して、このパイプ引出孔７を通して温水循環パイプ２の接続端部３を下方へと導出させ引き出すことができる。それ故、パイプ引出孔７の穿設位置に自由度が増し、しかも、床下地材６の根太１４や大引（図示せず）等の位置を避けて同パイプ引出孔７を穿設することができ、床強度を低下させることもなく、床暖房パネルＰの敷設施工及び相互の配管接続作業を容易に行うことができる。
【００１８】
又、この実施形態の床暖房パネルＰにおいては、温水循環パイプ２の接続端部３として往路接続端部３ａと復路接続端部３ｂとを備え、この往路接続端部３ａと復路接続端部３ｂとを対にまとめて導出させるパイプ収容溝５としているため、同パイプ収容溝５を一つにまとめて形成することができ、床パネル基材１の加工が簡略化されてその製造が容易なものとなる。しかも、この場合、温水循環パイプ２の往路接続端部３ａと復路接続端部３ｂとを一つのパイプ収容溝５から対にまとめて導出させることができ、同導出位置も一箇所にまとまって、床暖房パネルＰ相互の配管接続作業はより容易となる。
【００１９】
図４は、本願の請求項３に対応した別の実施形態である床暖房パネルＰを示している。この実施形態の床暖房パネルＰでは、床パネル基材１が平面視略長方形状であり、その短辺巾方向に対し傾斜した方向を溝長手方向としてパイプ収容溝５が形成されている。この場合、床パネル基材１の長手方向での一方の端部付近に、その短辺端部に傾斜して沿った斜め巾方向のパイプ収容溝５が形成されている。又、この実施形態の床暖房パネルＰは、図２に示す如く、上記実施形態と同様の床暖房装置（請求項４に対応）となる。
【００２０】
したがって、この実施形態の床暖房パネルＰ及び床暖房装置においては、床パネル基材１の面方向においてパイプ収容溝５が傾斜しているため、床下地材６にパイプ引出孔７を穿設する際に、このパイプ引出孔７を同パイプ収容溝５の溝長手方向に沿い位置を変えて穿設することにより、同床下地材６の根太１４や大引（図示せず）等の位置を容易に避けることができ、床暖房パネルＰの敷設施工及び相互の配管接続作業はより容易となる。なお、それ以外は、上記実施形態と同様に構成され、上記実施形態におけると同様の作用効果が奏される。
【図面の簡単な説明】
【００２１】
【図１】本願発明の一実施形態である床暖房パネルＰを示す背方からみた要部斜視図。
【図２】同床暖房パネルＰを用いた本願発明の一実施形態である床暖房装置を示す断面図。
【図３】同床暖房パネルＰの（ａ）は中程部位での要部断面図、（ｂ）は端部付近の導出部位での要部断面図。
【図４】本願発明の別の実施形態である床暖房パネルＰを示す要部背面図。
【図５】従来例である床暖房パネルＰ及びそれを用いた床暖房装置を示す断面図。
【図６】同床暖房パネルＰを用いた別の床暖房装置を示す断面図。
【符号の説明】
【００２２】
１  床パネル基材
２  温水循環パイプ
３  接続端部
３ａ  往路接続端部
３ｂ  復路接続端部
４  下面
５  パイプ収容溝
６  床下地材
７  パイプ引出孔
Ｐ  床暖房パネル
【図１】
2006242507.tif 000003
【図２】
2006242507.tif 000004
【図３】
2006242507.tif 000005
【図４】
2006242507.tif 000006
【図５】
2006242507.tif 000007
【図６】
2006242507.tif 000008